(57)【要約】　　　（修正有）【課題】清掃用ワイプスが支持される支持体を、保持柄に対して角度を多段に変えた姿勢で安定できるようにする。【解決手段】清掃用ワイプスを支持する支持体の基部に設けられた回動部３１には、複数の凹部３８ａと、各凹部間に位置して支持体の回動中心線Ｏｒと直交する向きの摺動面３９ｂが形成されている。保持柄２内には軸中心線Ｏｓと直交する方向へ摺動するロック部材６０が設けられ、このロック部材６０が圧縮コイルスプリング６４の付勢力で付勢され、係合部６１が前記いずれかの凹部に嵌合できるようになっている。押圧釦７０を押して前記係合部６１を凹部３８ａ内から抜き出して、支持体を回動させ、係合部６１を他の凹部に嵌合させることにより、支持体の向きを変えて安定させることができる。【選択図】　　図５
2004049618.tif 000002
【特許請求の範囲】
【請求項１】
清掃用ワイプスを支持可能な支持体に回動部が設けられて、前記回動部が保持柄の先部に回動自在に連結され、前記回動部の回動中心線が前記保持柄の軸方向と交叉する向きとなっている清掃用保持具において、
前記回動部には、前記回動中心線と交叉する向きの摺動面と、前記摺動面から前記回動中心線に沿う方向へ窪んだ複数の凹部とが設けられて、前記凹部が前記回動中心線を中心とする回動方向へ所定の角度間隔を空けて配置されており、
前記保持柄には、前記回転中心線に沿う方向へ移動可能で且つ前記凹部内に入り込むことが可能なロック部材と、前記ロック部材に対して前記凹部に入り込む方向の付勢力を与える付勢部材とが設けられているとともに、前記ロック部材を前記凹部から抜き出す方向へ動作させる操作部材が前記保持柄の外部から操作できる位置に設けられていることを特徴とする清掃用保持具。
【請求項２】
前記ロック部材は、前記保持柄の内部で且つ前記回動部の回動領域から外れた領域に位置する本体部と、この本体部から前記回動部に対向する位置に延びて前記凹部内に入り込むことが可能な係合部とを有しており、前記操作部材は、その一部が前記回動部の回動領域から外れた位置で前記保持柄の表面から突出しており、前記操作部材で前記ロック部材の本体部が前記回動中心線に沿って押されることにより、前記ロック部材の係合部が前記凹部から抜け出る方向へ動作させられる請求項１記載の清掃用保持具。
【請求項３】
前記保持柄の内部には、ガイド部材が離脱可能に固定されており、前記ロック部材の本体部が前記ガイド部材内で動作自在に案内されているとともに、このガイド部材内に前記付勢部材が設けられている請求項２記載の清掃用保持具。
【請求項４】
前記支持体には、これに取り付けられる清掃用ワイプスを被清掃面に押し当てる清掃支持面が形成されており、前記回動部の複数の凹部のいずれかを選択して前記ロック部材を入り込ませることにより、前記保持柄の軸方向と前記清掃支持面との角度が複数段階に設定可能である請求項１ないし３のいずれかに記載の清掃用保持具。
【請求項５】
前記回動部に設けられた複数の凹部のうちの１つが折畳みロック凹部とされており、この折畳みロック凹部に前記ロック部材が入り込んだときに、前記保持柄と前記支持体とが重なる状態に折り畳まれる請求項１ないし４のいずれかに記載の清掃用保持具。
【請求項６】
請求項１ないし５のいずれかに記載の清掃用保持具、および前記支持体に装着される清掃用ワイプスとから成る清掃物品において、前記清掃用ワイプスは、少なくとも不織布または紙を有し、あるいは少なくとも不織布と繊維の束とが組み合わされて形成された使い捨て用であり、前記清掃用ワイプスが前記支持体に支持されることを特徴とする清掃物品。
【発明の詳細な説明】
【０００１】
【発明の属する技術分野】
本発明は、使い捨て用などの清掃用ワイプスを保持する清掃用保持具、およびその清掃用保持具と清掃用ワイプスとが組み合わされた清掃物品に関する。
【０００２】
【従来の技術およびその問題点】
不織布などから成る清掃布を保持する清掃具として、特開平９−１５４７９１号公報や特開平９−３８００９号公報には、片手で保持できる短い柄、または軸方向へ伸ばして長い状態にできる柄の先部に、前記清掃布を支持するヘッド部が設けられたものが開示されている。
【０００３】
しかし、前記公報に記載のものは、前記柄の先部でヘッド部が動くことなく一定の向きに固定されているため、ヘッド部に清掃布を取り付けて被清掃面を清掃する際に、前記被清掃面の向きに応じて手で保持した柄の向きを変えることが必要であり、家具の表面などのようないろいろな向きの被清掃面を清掃するときに不便であった。
【０００４】
また、特開２００２−１７６４０号公報や特開昭５１−８５２７３号公報には、柄の先部にブラシ形状の清掃用具がその向きを調整自在に取り付けられているものが開示されている。
【０００５】
これらは、柄の先部に、前記ブラシ形状の清掃用具が回動できるように取り付けられている。その回動連結部では、前記清掃用具と一体に回転する回転部の外周に複数の凹部が形成され、前記柄には前記凹部に嵌合するロック部材が柄の軸方向へ移動自在に設けられている。前記ロック部材を柄の軸方向へ移動させて前記凹部に嵌合させることにより、ブラシ状の清掃用具の向きを変えて固定できるようになっている。
【０００６】
しかし、前記両公報に記載のものにおいて、柄に対する清掃用具の角度を変えて安定させる操作を行うには、まずロック部材を凹部に正確に対向するように柄の回動角度を調整することが必要であり、さらにその後にロック部材を柄の軸方向へ強い力で移動させて、ロック部材と凹部とを確実に嵌合させることが必要である。
【０００７】
例えば、前記特開２００２−１７６４０号公報に開示されているものは、ブラシ状の清掃用具の向きを変えて、ロック部材と凹部とを正確に対向させた後に、柄に設けられた操作部を手で柄の軸方向に沿って柄の先部方向へ押して、ロック部材を前記凹部と嵌合させることが必要である。しかし、操作部材を柄の軸方向に向けて強い力でスライドさせるのは操作性が悪い。したがって、ロック部材を凹部に確実に嵌合させることができなかったり、またはロック部材が凹部に浅く嵌合し清掃用具が確実に固定されていない状態で、清掃作業が開始されるおそれがある。
【０００８】
一方、前記特開昭５１−８５２７３号公報に開示されているものは、柄の外周の雄ねじに螺着されている回転リングを前記雄ねじに締めることによって、前記ロック部材を柄の軸方向へ移動させて前記凹部と嵌合させている。しかし、清掃用具の向きを変えるときに、いちいち回転リングをねじの緩み方向へ回転させてから清掃用具の向きを変え、さらに回転リングをねじの締め付け方向へ回転させるというきわめて煩雑な作業が必要となる。しかも回転リングを最後まで確実に締め付けないと、ロック部材が凹部に浅く嵌合したままの状態となって、清掃用具を確実に安定させることができないこともある。また、前記回転リングを設ける分だけ柄の先部が太くなるのみならず、重量も嵩むものとなる。
【０００９】
このように、前記両公報に開示されているものにおいて、ロック部材と凹部とを確実に嵌合させるためには、まず最初にロック部材と凹部とが確実に対向するように回動位置を調整し、さらに前記操作部や回転リングを操作して、ロック部材を柄の軸方向へ強い力で移動させることが必要であり、清掃用具の向きを確実に安定させるための操作が煩雑である。
【００１０】
さらに、前記両公報に記載のものは、ブラシ状の清掃具の向きを所定の角度範囲で変えることができるが、この清掃具を柄と重なるように折り畳むことはできない。すなわち、前記両公報に記載のものは、使い捨ての清掃用ワイプスを支持することを目的としたものではなく、長期間使用するブラシ状の清掃具が柄に取り付けられているものである。そのため、使用していないときにも清掃具が取り付けられたまま放置しておくことを前提としており、使い捨てワイプスを取り付けるもののように、ワイプスを取り外した状態で折り畳んで保管するなどの使用状態を想定しているものではない。
【００１１】
本発明は上記従来の課題を解決するものであり、清掃用ワイプスを取り付ける支持体の向きを変える操作を簡単にでき、しかも前記支持体の向きを確実に変えた状態で不用意に回動しないように安定させることができる清掃用保持具およびその清掃用保持具を用いた清掃物品を提供することを目的としている。
【００１２】
【課題を解決するための手段】
本発明は、清掃用ワイプスを支持可能な支持体に回動部が設けられて、前記回動部が保持柄の先部に回動自在に連結され、前記回動部の回動中心線が前記保持柄の軸方向と交叉する向きとなっている清掃用保持具において、
前記回動部には、前記回動中心線と交叉する向きの摺動面と、前記摺動面から前記回動中心線に沿う方向へ窪んだ複数の凹部とが設けられて、前記凹部が前記回動中心線を中心とする回動方向へ所定の角度間隔を空けて配置されており、
前記保持柄には、前記回転中心線に沿う方向へ移動可能で且つ前記凹部内に入り込むことが可能なロック部材と、前記ロック部材に対して前記凹部に入り込む方向の付勢力を与える付勢部材とが設けられているとともに、前記ロック部材を前記凹部から抜き出す方向へ動作させる操作部材が前記保持柄の外部から操作できる位置に設けられていることを特徴とするものである。
【００１３】
この清掃用保持具では、ロック部材をいずれかの凹部に嵌合させることで、支持体の向きを安定させることができる。支持体の向きを変えるときには、前記操作部材を操作（例えば押圧操作）して、前記ロック部材を、前記回動中心線に沿う方向、すなわち保持柄の軸方向と交叉する方向へ移動させることにより、凹部から抜き出すことができる。このときに前記操作部材に操作力を与える向きは、保持柄の軸方向と交叉する方向であるため、指から操作部材に対して前記操作力を強く与えやすくなる。したがって、従来の柄の軸方向へ操作力を与えるものに比較して操作が容易であり、またロック部材を凹部から確実に抜け出させることができる。
【００１４】
また、前記操作部材への操作力を解除すると、ロック部材は付勢部材の付勢力によって復帰する。このとき、ロック部材がいずれかの凹部に対向していない場合には、付勢力を受けている前記ロック部材が前記摺動面に当接する。よって、そのまま支持体を少し回動させれば、ロック部材が自動的に凹部に嵌入して係合固定状態に移行できる。すなわち、支持体の向きを変えるときには、操作部材を凹部との嵌合を解除する方向へ操作し、支持体を少し回動させた後に操作部材への操作力を解除し、そのまま支持体を回動させれば、自動的にロック部材が凹部内に嵌合できるようになる。
【００１５】
また、本発明では、前記ロック部材は、前記保持柄の内部で且つ前記回動部の回動領域から外れた領域に位置する本体部と、この本体部から前記回動部に対向する位置に延びて前記凹部内に入り込むことが可能な係合部とを有しており、前記操作部材は、その一部が前記回動部の回動領域から外れた位置で前記保持柄の表面から突出しており、前記操作部材で前記ロック部材の本体部が前記回動中心線に沿って押されることにより、前記ロック部材の係合部が前記凹部から抜け出る方向へ動作させられるものとして構成される。
【００１６】
このように、支持体の回動部の回動領域から外れた位置で、しかも保持柄の内部に前記本体部を設け、また保持柄から突出する操作部材を設けると、回動部が位置する回動連結部の構造を簡単にでき、またロック部材が保持柄の外部に現れずに外観が良好になる。また回動連結部から離れた位置で操作部材を動作できるため、例えば、回動させようとしている支持体と、前記操作部材を操作させようとしている指とが当たりにくくなって、操作しやすいものとなる。
【００１７】
また本発明は、前記保持柄の内部には、ガイド部材が離脱可能に固定されており、前記ロック部材の本体部が前記ガイド部材内で動作自在に案内されているとともに、このガイド部材内に前記付勢部材が設けられているものとして構成される。
【００１８】
保持柄の内部空間にガイド部材を取り付けることで、ロック部材を保持柄の軸方向と交叉する方向へ安定して動作させることができる。また前記ガイド部材は保持柄の内部から離脱できるものであるため、保持柄の内部空間を複雑な構造にする必要がなくなる。
【００１９】
また、本発明は、前記支持体に、これに取り付けられる清掃用ワイプスを被清掃面に押し当てる清掃支持面が形成されており、前記回動部の複数の凹部のいずれかを選択して前記ロック部材を入り込ませることにより、前記保持柄の軸方向と前記清掃支持面との角度が複数段階に設定可能なものとして構成している。
【００２０】
このように、清掃用ワイプスを被清掃面に押し当てる清掃支持面の角度を多段に切り替えることにより、柄を清掃しやすい向きに変えて清掃することができ、例えば、家具などのように被清掃面の向きが様々である場合、または天井などの清掃も容易にできるようになる。
【００２１】
また、本発明は、前記回動部に設けられた複数の凹部のうちの１つが折畳みロック凹部とされており、この折畳みロック凹部に前記ロック部材が入り込んだときに、前記保持柄と前記支持体とが重なる状態に折り畳まれるものとして構成される。
【００２２】
この折畳みロック凹部を有していると、この清掃用保持具を使用しないときに、例えば前記支持体から清掃用ワイプスを取り外した状態で、支持体と保持柄とが重なる状態に折り畳んでおくことができ、広い保管スペースが不要になる。
【００２３】
さらに、本発明は、前記いずれかに記載の清掃用保持具、および前記支持体に装着される清掃用ワイプスとから成る清掃物品において、前記清掃用ワイプスは、少なくとも不織布または紙を有し、あるいは少なくとも不織布と繊維の束とが組み合わされて形成された使い捨て用であり、前記清掃用ワイプスが前記支持体に支持されることを特徴とするものである。
【００２４】
かかる構成によれば、前記清掃用ワイプスが柔軟性を有するものとなるため、支持体への取付けや交換が容易になる。
【００２５】
【発明の実施の形態】
図１は本発明の第１の実施の形態の清掃用保持具の全体側面図であり、（Ａ）は支持体の清掃支持面が、保持柄の中心線に対して角度の相違する３つの清掃ポジションのそれぞれに設定された状態、（Ｂ）は前記清掃支持面が、保持柄の中心線に対して直角に向けられた清掃ポジションに設定された状態、（Ｃ）は支持体が保持軸に重なるように折り畳まれた状態を示している。
【００２６】
図２は支持体と、この支持体に取り付けられる清掃用ワイプスとから成る清掃物品の一例を示す斜視図、図３は保持柄と支持体との回動連結部およびロック機構部を示す分解斜視図、図４は支持体の回動部を図３のＩＶ矢視方向から見た部分側面図、図５（Ａ）（Ｂ）は前記回動連結部およびロック機構部をＸ−Ｙ平面で切断した状態を動作別に示す断面図、図６、図７、図８は支持体が各ポジションに回動した状態をＹ−Ｚ平面で切断した断面図である。
【００２７】
図１に示す清掃用保持具１は、保持柄２と収納保持柄３を有している。図１では保持柄２が収納保持柄３から前方へ伸び出た状態を示しているが、前記保持柄２を収納保持柄３の内部に収納させることにより、保持柄２と収納保持柄３との組立体の全長をさらに短くできる。また、前記収納保持柄３をさらに多段に伸縮できる構造にすると、保持柄２と収納保持柄３との組立体の全長をさらに長くすることもできる。
【００２８】
図３以下に示すように、前記保持柄２は断面が中空円形の筒体で形成されており、前記収納保持柄３もその断面が中空円形の筒体である。図１（Ａ）では、前記保持柄２および収納保持柄３の軸中心線をＯｓで示している。
【００２９】
前記保持柄２の先部（図１（Ａ）における図示左側の端部）には、回動連結部５によって支持体４が回動自在に連結されている。この回動連結部５での前記支持体４の回動中心線をＯｒで示している。この実施の形態では、前記回動中心線Ｏｒが、前記保持柄２の軸中心線Ｏｓと直交する向きに設定されている。支持体４は、前記回動中心線Ｏｒを中心として回動可能であり、また保持柄２の内部に設けられたロック機構部６によって、前記支持体４が各ポジションに回動した状態で、支持体４の向きを係合固定（ロック）できるようになっている。
【００３０】
図１（Ａ）に示すように、前記支持体４の下面は、この支持体４に取り付けられる清掃用ワイプス８を被清掃面に押し付ける清掃支持面４ａとなっている。この実施の形態では、前記支持体４の向きが５段階に設定可能であって、支持体４がそれぞれの向きに設定されて、その姿勢で動かないように係合固定される。
【００３１】
図１（Ａ）に示すように、前記支持体４の清掃支持面４ａが前記保持柄２の軸中心線Ｏｓとほぼ平行となる向きが第１の清掃ポジション（ｉ）、前記清掃支持面４ａが前記第１の清掃ポジション（ｉ）よりも下方向へθ１だけ回動した向きが第２の清掃ポジション（ｉｉ）、前記清掃支持面４ａが前記第１の清掃ポジション（ｉ）よりも上方向へθ１だけ回動した向きが第３の清掃ポジション（ｉｉｉ）である。
【００３２】
また図１（Ｂ）に示すように、前記清掃支持面４ａが、前記第３の清掃ポジション（ｉｉｉ）よりもさらに上方向へθ１だけ回動した向きが第４の清掃ポジション（ｉｖ）であり、このとき清掃支持面４ａと前記軸中心線Ｏｓとがほぼ直角となる。さらに、図１（Ｂ）の第４の清掃ポジション（ｉｖ）よりも支持体４がさらに時計方向へθ２だけ回動すると、清掃支持面４ａが上向きで且つ前記清掃支持面４ａが前記軸中心線Ｏｓとほぼ平行となって、支持体４が保持柄２と重なるように折り畳まれて折畳みポジション（ｖ）となる。
【００３３】
第１の清掃ポジション（ｉ）から第４の清掃ポジション（ｉｖ）までの各ポジションを設定する際の、各ポジション間での支持体４の回動角度θ１は同じであり、また第４の清掃ポジション（ｉｖ）から折畳みポジション（ｖ）へ移行するまでの支持体４の回動角度θ２は、前記清掃ポジション間の回動角度θ１よりも大きく設定されている。この実施の形態では、前記θ１はほぼ４５度で、前記θ２はほぼ９０度である。
【００３４】
また、前記保持柄２の先部には前記ロック機構部６での係合固定（ロック）状態を解除するための操作を行う操作部材としての押圧釦７０が設けられており、この押圧釦７０は、その一部が保持柄２の外周面から突出して、押圧操作可能となっている。前記押圧釦７０は、支持体４が保持柄２に折り畳まれた折畳みポジション（ｖ）であっても操作できるように、前記折畳みポジション（ｖ）のときに前記支持体４と干渉しない位置に設けられている。また、押圧釦７０は、前記回動連結部５から少し離れた位置で、しかも円筒状の保持柄２の側面から突出しており、その押圧操作方向は保持柄２の軸方向と直交する方向である。したがって、例えば保持柄２を保持した右手の親指で押圧釦７０を押圧することができ、操作しやすいものとなっている。
【００３５】
前記保持柄２、収納保持柄３、支持体４および前記回動連結部５とロック機構部６を構成する部材は、後に説明する圧縮コイルスプリングを除いて全て合成樹脂製であり、例えばＡＢＳ、塩化ビニル、ＰＥ（ポリエチレン）、ＰＰ（ポリプロピレン）、ＰＥＴ（ポリエチレンテレフタレート）などで形成されている。あるいは、これら各部材のうちの少なくとも一部が、アルミニウムなどの軽金属、またはアルミニウム合金などの軽合金で形成されていてもよい。
【００３６】
図２に示すように、前記支持体４は、前記回動連結部５から前方に延びる腕部１４と、この腕部１４から二股状に分岐して平行に延びる平板状の支持片１１，１１を有し、それぞれの支持片１１，１１の外縁には２個ずつの薄肉で変形可能な突部１２，１２が一体に形成されている。前記支持片１１，１１の分岐部には、前記支持片１１と支持片１１との間に延びる押さえ片１３が一体に形成されている。そして、前記支持片１１，１１の下面が前記清掃支持面４ａ，４ａとなっている。
【００３７】
図２に示す清掃用ワイプス８は、その本体２１が、不織布、不織布の積層体、紙の積層体、発泡樹脂材料、あるいは不織布とＴＯＷと称される繊維の束との積層体などで形成された使い捨て可能で軟質なものである。前記本体２１の上面には不織布などで形成された保持シート２２が重ねられており、前記本体２１と保持シート２２とが、縦方向に延びる一対の側部接合線２３，２３と両側部接合線２３と２３との間に平行に形成された中央接合線２４とで接合されている。
【００３８】
前記本体２１と保持シート２２との間には、それぞれの側部接合線２３，２３と中央接合線２４とで挟まれた保持空間部２５，２５が形成されており、本体２１の長手方向の両側に前記保持空間部２５，２５の開口部２５ａ，２５ａが開口している。前記支持体４の支持片１１，１１をいずれかの開口部２５ａ，２５ａから前記保持空間部２５，２５内に挿入すると、前記押さえ片１３が保持シート２２の上面を押さえるようになり、これにより、前記清掃用ワイプス８は前記支持体４に容易に離脱しないように取り付けられる。
【００３９】
支持体４に前記清掃用ワイプス８が取り付けられた状態で、前記支持片１１，１１の下面の清掃支持面４ａ，４ａで、前記清掃用ワイプス８の本体２１を、床、家具などの被清掃面に押し付けることができる。
【００４０】
なお、前記支持体４には、使い捨てワイプスではなく、洗濯により再使用できる清掃用ワイプスが取り付けられてもよい。
【００４１】
図３に示すように、前記回動連結部５の構造として、前記支持体４の前記腕部１４の基部にはほぼ円盤形状の回動部３１が一体に形成されており、この回動部３１に軸孔３２がＸ方向へ貫通して形成されている。前記保持柄２の先部には、一対の円盤状の支持部３３と３３が一体に形成されており、この支持部３３と支持部３３との間に支持空間３４が形成されている。そして支持部３３と支持部３３には、Ｘ方向へ貫通する支持孔３５，３５が形成されている。
【００４２】
前記支持体４に形成された回動部３１の厚さ寸法と、前記支持空間３４の内幅寸法はほぼ同じであり、前記回動部３１は、前記支持空間３４内にほぼ隙間なく挿入される。また、回動部３１の大径外周面３１ａの半径Ｒ１と、前記支持部３３，３３の半径とがほぼ同じである。
【００４３】
図５（Ａ）（Ｂ）に示すように、前記保持柄２の支持空間３４内に支持体４の回動部３１が挿入された状態で、一方の支持部３３の外面から支持孔３５内に第１の支持軸３６ａが挿入され、他方の支持部３３の外面から支持孔３５内に第２の支持軸３６ｂが挿入される。第１の支持軸３６ａと第２の支持軸３６ｂは、共に前記回動部３１の軸孔３２の内部に挿入されて、第１の支持軸３６ａと第２の支持軸３６ｂとが前記軸孔３２内で凹凸嵌合し、必要に応じて第１の支持軸３６ａと第２の支持軸３６ｂとが互いに接着されて固定される。
【００４４】
その結果、前記回動連結部５では、前記支持体４と一体の回動部３１が、保持柄２と一体の支持部３３と支持部３３とで挟まれた状態で、前記第１の支持軸３６ａと第２の支持軸３６ｂの周囲で回動自在となる。前記第１の支持軸３６ａと第２の支持軸３６ｂの軸中心線が前記回動中心線Ｏｒである。前述のように、この実施の形態では、前記回動中心線Ｏｒは、前記保持柄２の軸中心Ｏｓと直交する向きに設定されている。
【００４５】
図３、図４および図６に示すように、前記支持体４と一体の前記回動部３１は、その厚さ寸法Ｗ１のほぼ１／２の幅寸法Ｗ２の部分が、回動中心線Ｏｒから所定の半径Ｒ１の前記大径外周面３１ａであり、残りの幅寸法がほぼ１／２の部分が、半径Ｒ２の小径外周面３１ｂとなっている。図４に示すように、前記大径外周面３１ａと前記小径外周面３１ｂは、前記回動中心線Ｏｒ回りの所定の角度範囲内に形成されている。そして、前記大径外周面３１ａと前記小径外周面３１ｂとの段差部分には、前記回動中心線Ｏｒに対してほぼ垂直面の摺動面３９が形成されている。
【００４６】
前記回動部３１には、摺動面３９から、前記回動中心線Ｏｒに沿って窪み形成された複数の凹部が形成されている。この凹部は、第１の凹部３８ａ、第２の凹部３８ｂ、第３の凹部３８ｃ、第４の凹部３８ｄおよび折畳みロック凹部３８ｅである。各凹部３８ａ，３８ｂ，３８ｃ，３８ｄ，３８ｅは、回動中心線Ｏｒを中心とする法線方向に延びており、各凹部３８ａ，３８ｂ，３８ｃ，３８ｄ，３８ｅは、前記大径外周面３１ａにおいて放射方向に開口している。
【００４７】
前記各凹部３８ａ，３８ｂ，３８ｃ，３８ｄ，３８ｅは、全て同じ寸法であり、図４に示すように、前記摺動面３９に開口している幅寸法は、回動中心線Ｏｒを中心とする法線方向に向けて一定の寸法Ｗ３であり、回動中心線Ｏｒに沿う深さ寸法は、一定の寸法Ｗ４（図３参照）である。
【００４８】
図４に示すように、回動中心線Ｏｒを中心とした回転方向の開き角度は、第１の凹部３８ａと第２の凹部３８ｂとの間がθ１、第１の凹部３８ａと第３の凹部３８ｃとの間がθ１、そして第３の凹部３８ｃと第４の凹部３８ｄとの間がθ１である。前記θ１は例えば４５度である。また、第４の凹部３８ｄと前記折畳みロック凹部３８ｅとの開き角度はθ２であり、θ２は例えば９０度である。
【００４９】
このように、第１の凹部３８ａ、第２の凹部３８ｂ、第３の凹部３８ｃ、第４の凹部３８ｄの個々の凹部の開き角度θ１は、図１（Ａ）（Ｂ）に示すように、支持体４の清掃ポジション（ｉ）（ｉｉ）（ｉｉｉ）（ｉｖ）を設定するためのものであり、また、前記第４の凹部３８ｄと折畳み凹部３８ｅとの開き角度θ２は、前記第４の清掃ポジション（ｉｖ）から支持体を大きく回動させて折畳みポジション（ｖ）を設定するためのものである。そのため、前記角度θ２は前記θ１よりも大きくなっており、この実施の形態では２倍である。
【００５０】
前述のように、前記大径外周面３１ａと内径外周面３１ｂとの段差部には、前記回動中心線Ｏｒに対して垂直な摺動面３９が形成されているが、この摺動面３９は、前記第１の凹部３８ａと第２の凹部３８ｂとの間に位置する部分が第１の摺動面３９ａ、第１の凹部３８ａと第３の凹部３８ｃとの間に位置する部分が第２の摺動面３９ｂ、第３の凹部３８ｃと第４の凹部３８ｄとの間に位置する部分が第３の摺動面３９ｃである。また前記第４の凹部３８ｄと前記折畳みロック凹部３８ｅとの間に位置する部分が折畳み摺動面３９ｄである。
【００５１】
次に、前記ロック機構部６の構造を説明する。
図３に示すように、前記保持柄２は円筒形状であり、その内部に断面が円形の中空部２ａを有している。この保持柄２の内部には内壁から内方へ向けて突出するリング状のストッパ４１が一体に形成されており、このストッパ４１の中心部に保持柄２の軸方向に貫通する掛止孔４１ａが形成されている。前記保持柄２の内部には、前記ストッパ４１よりも前方部分に機構収納空間２ｂが形成されている。この機構収納空間２ｂは、Ｚ方向に対向する上壁面２ｄと下壁面２ｅが円筒の一部であり、前記Ｚ方向に延びる操作側の側壁面２ｆと支持側の側壁面２ｇが、Ｙ−Ｚ平面と平行な平坦面である。
【００５２】
前記機構収納空間２ｂの上壁面２ｄには、前記ストッパ４１から前方に向けて延びる所定の幅寸法の掛止リブ２ｈが形成され、下壁面２ｅにも、前記ストッパ４１から前方に向けて延びる掛止リブ２ｉが形成されている。また、前記機構収納空間２ｂの前端には、前記支持空間３４と連通する開口部４２が形成されている。この開口部４２の開口形状は、上縁４２ａと下縁４２ｂが、前記上壁面２ｄと下壁面２ｅにそれぞれ連続する円弧形状であり、両側縁部４２ｃと４２ｄは、前記両側壁面２ｆと２ｇにそれぞれ連続する直線形状である。
【００５３】
前記保持柄２には、前記ストッパ部４１と開口部４２との中間部分に、保持柄２の円筒状の周壁をＸ方向に貫通する操作孔４３が開口している。
【００５４】
前記保持柄２の機構収納空間２ｂ内にはガイド部材５０が収納されている。このガイド部材５０は、上面５１ａと下面５１ｂが前記機構収納空間２ｂの上壁面２ｄおよび下壁面２ｅと一致する円筒面で、操作側の側面５１ｃとこれに対向する側面５１ｄが、前記機構収納空間２ｂの両側壁面２ｆおよび２ｇにそれぞれ一致する平面である。
【００５５】
前記ガイド部材５０の基端面５１ｅには、その上下部分から後方へ向けて一体に形成された掛止片５２，５２が設けられており、それぞれの掛止片５２，５２の先端部には外方へ向けられた掛止爪５２ａ，５２ａが一体に形成されている。また、前記掛止片５２，５２の基端部では、前記基端面５１ｅと前記上面５１ａおよび下面５１ｂとの間に、段差部５３，５３が形成されている。
【００５６】
また、前記ガイド部材５０には、保持柄２の軸方向（Ｙ方向）が長手方向となる立方体形状の摺動空間５４が、保持柄２の軸方向と直交するＸ方向へ貫通して形成されている。この摺動空間５４の先端には、前記保持柄２の開口部４２を塞ぐ壁面５５が形成されており、この壁部５５には、前記側面５１ｄから側面５１ｃに向けて延びる所定の開口幅寸法の摺動凹部５６が形成されている。
【００５７】
図６に示すように、前記ガイド部材５０が、前記開口部４２から前記機構収納空間２ｂに向けて挿入されると、ガイド部材５０の段差部５３，５３が、前記係止リブ２ｈと２ｉの端面に当たった状態で、前記掛止片５２，５２が前記掛止孔４１ａ内に入り込み、掛止片５２，５２に形成された掛止爪５２ａ，５２ａが、ストッパ４１の基端側の掛止面４１ｂに掛止される。これによりガイド部材５０は、前記機構収納空間２ｂ内で保持柄２の軸方向へ動くことなく、また軸中心線Ｏｓ回りに回動することなく収納される。
【００５８】
前記ガイド部材５０の摺動空間５４内には、ロック部材６０が納められている。このロック部材６０の本体部６６は、前記収納空間５４内でほとんど隙間を有することなく保持柄２の軸方向と直交するＸ方向へ摺動自在となっている。前記本体部６６の先端には、断面が矩形状の係合部６１が一体に突出形成されている。この係合部６１は、前記ロック部材６０の摺動凹部５６から前記支持空間３４内に突出しており、前記本体部６６が摺動空間５４内でＸ方向へ摺動するときに、前記係合部６１が前記支持空間３４内でＸ方向へ移動するようになる。
【００５９】
前記ロック部材６０の本体部６６の、Ｘ方向へ向く一方の端部には、スプリング収納凹部６２が形成されており、その内部にはスプリング支持突起６３が一体に形成されている。図５（Ａ）（Ｂ）に示すように、前記機構収納空間２ｂ内では、前記スプリング支持突起６３の外周部に、付勢部材としての圧縮コイルスプリング６４が装着され、この圧縮スプリング６４は収縮した状態で、その他端が機構収納空間２ｂ内の側壁面２ｇに当接する。これにより、前記ロック部材６０は、ガイド部材５０内において、常に機構収納空間２ｂの操作側の側壁面２ｆに向けて付勢される。
【００６０】
前記ロック部材６０には、その本体部６６の前記側壁面２ｆに向く面に、軸中心線Ｏｓの方向へ間隔を開けて形成された釦掛止部６５，６５が設けられている。前記押圧釦７０は、保持柄２に開口している前記操作孔４３内でＸ方向へ摺動できる形状であり、この押圧釦７０には一対の掛止片７１，７１が一体に形成されている。この掛止片７１，７１の先端には、互いに外側に向く掛止爪７１ａ，７１ａが形成されており、この掛止爪７１ａ，７１ａが前記釦掛止部６５，６５の内部に差し込まれて掛止され、これにより、押圧釦７０と前記ロック部材６０とが一体となって動作できるようになる。
【００６１】
前記ロック機構部６の組み立て手順は、前記ガイド部材５０の摺動空間５４内にロック部材６０の本体部６６と圧縮コイルスプリング６４を納め、前記圧縮コイルスプリング６４を収縮させて、前記ガイド部材５０を前記開口部４２から機構収納空間２ｂ内に挿入する。このとき圧縮コイルスプリング６４を収縮させて、その端部を機構収納空間２ｂの側壁面２ｇに当接させる。そして、前述したように、ガイド部材５０の掛止片５２，５２に形成された掛止爪５２ａ，５２ａをストッパ４１の掛止面４１ｂに掛止させる。その後に、前記押圧釦７０を保持柄２の外側から前記操作孔４３内に挿入し、押圧釦７０に形成されている掛止片７１，７１の掛止爪７１ａ，７１ａを、ロック部材６０の釦掛止部６５，６５に掛止させる。
【００６２】
前記ロック機構部６が組み立てられた状態で、前記押圧釦７０の中心と、圧縮コイルスプリング６４の巻き中心が、共に付勢中心線Ｏｐに一致する。ロック部材６０の本体部６６は、ガイド部材５０の摺動空間５４内で傾くことなく且つ最小の隙間で摺動できるように納められているが、前記押圧釦７０の中心と圧縮コイルスプリング６４の中心が、前記付勢中心線Ｏｐで一致していることにより、保持柄２の外部から押圧釦７０を押圧したときに、ロック部材６０の本体部６６は、前記摺動空間５４内で大きく傾くことなく、前記摺動空間５４の内面との間に大きな摩擦抵抗力が発生することなく、Ｘ方向へ摺動できる。
【００６３】
前記ロック機構６が組み立てられた後に、前記回動部３１が支持空間３４内に取り付けらて回動連結部５が組み立てられる。前記ロック機構部６および前記回動連結部５が組み立てられると、前記ロック部材６０に設けられた係合部６１は、図５（Ａ）（Ｂ）に示すように、前記回動部３１の前記摺動面３９および各凹部３８ａ，３８ｂ，３８ｃ，３８ｄ，３８ｅに対向できるようになる。
【００６４】
なお、前記ロック部材６０に設けられた係合部６１の幅寸法Ｗａ（図３参照）は、各凹部３８ａ，３８ｂ，３８ｃ，３８ｄ，３８ｅの開口幅寸法Ｗ３（図４参照）よりもわずかに小さく、係合部６１がいずれかの凹部に最小の隙間で嵌合できる。また前記係合部６１の厚さ寸法Ｗｂは、前記回動部３１の前記幅寸法Ｗ１とＷ２との差（Ｗ１−Ｗ２）（図３参照）よりも小さく形成されている。
【００６５】
次に、前記清掃用保持具１の動作について説明する。
図１（Ａ）に示すように、支持体４の清掃支持面４ａが、保持柄２の軸中心線Ｏｓとほぼ平行な第１の清掃ポジション（ｉ）のとき、前記回動連結部５およびロック機構部６は図５（Ａ）および図６の状態となっている。
【００６６】
図５（Ａ）と図６では、前記ロック部材６０が前記圧縮コイルスプリング６４の付勢力により、機構収納空間２ｂの操作側の側壁面２ｆに向けて付勢されているため、ロック部材６０に一体に形成された前記係合部６１は、前記支持体４の回動部３１に形成された第１の凹部３８ａに嵌合している。よって、支持体４は、図１（Ａ）に示す第１の清掃ポジション（ｉ）で係合固定（ロック）されている。また、ロック部材６０に掛止されている押圧釦７０は、その一部が保持柄２の外周面から突出している。
【００６７】
前記支持体４の向きを変更するには、前記押圧釦７０を図３に示すＸ方向へ押圧する。前記押圧釦７０が押されると、この押圧釦７０と連結されているロック部材６０が圧縮コイルスプリング６４の付勢力に対抗してガイド部材５０内で支持側の側壁部２ｇに向けてＸ方向へ摺動し、係合部６１が前記第１の凹部３８ａから抜け出て支持体４の係合固定が解除される。
【００６８】
前記支持体４の係合固定を解除した状態で、押圧釦７０を押し続けながら支持体４を回動させ、前記凹部３８ｂ，３８ｃ，３８ｄ，３８ｅのいずれかが前記係合部６１に対向したときに、前記押圧釦７０への押圧力を解除すると、ロック部材６０が圧縮コイルスプリング６４の付勢力を受けて摺動し、係合部６１が前記いずれかの凹部内に嵌合して、支持体４がいずれか選択されたポジションの向きで係合固定される。係合部６１が凹部３８ｂに嵌合しているときが第２の清掃ポジション（ｉｉ）、凹部３８ｃまたは３８ｄに嵌合しているときが、第３の清掃ポジション（ｉｉｉ）または第４の清掃ポジション（ｉｖ）、そして折畳みロック凹部３８ｅに嵌合しているときが、折畳みポジション（ｖ）である。
【００６９】
ただし、この実施の形態では、支持体４がいずれかの姿勢で係合固定されている状態において、前記押圧釦７０を押圧して前記係合固定を解除し、その後に支持体４を少し回動させた時点で押圧釦７０への押圧力を解除するという操作によって、係合固定時に嵌合していた凹部と隣接する凹部内に前記係合部６１を確実に嵌合させることが可能である。
【００７０】
例えば、図５（Ａ）および図６に示すように、係合部６１が第１の凹部３８ａに嵌合している係合固定状態において、押圧釦７０を押圧して係合部６１を第１の凹部３８ａから抜き出した後に、支持体４を時計方向へ少し回動させた状態で前記押圧釦７０に対する押圧力を解除すると、ロック部材６０は圧縮コイルスプリング６４の付勢力により側壁面２ｆに向けて摺動し、図５（Ｂ）に示すように、係合部６１が第１の凹部３８ａに隣接する第２の摺動面３９ｂに圧接させられる。この状態で、押圧釦７０を押すことなく、支持体４を時計方向へ回動させれば、圧縮コイルスプリング６４の付勢力を受けている係合部６１は、その側面が第２の摺動面３９ｂを摺動してから、第３の凹部３８ｃに自動的に入り込み、支持体４が第３の清掃ポジション（ｉｉｉ）の向きで係合固定される。
【００７１】
これは、係合部６１を第２の凹部３８ｂや第４のロック部３８ｄに嵌合させるときも同じであり、また係合部６１を折畳みロック凹部３８ｅに嵌合させるときも同じである。図７は係合部６１が第４の凹部３８ｄに嵌合して、支持体４が第４の清掃ポジション（ｉｖ）で係合固定されている状態を示している。この状態から押圧釦７０を押して、係合部６１を第４の凹部３８ｄから抜き出させ、その直後に押圧釦７０の押圧力を除去すると、前記係合部６１が折畳み摺動面３９ｄに圧接させられる。この状態で、支持体４を図８に示す位置まで回動させると、係合部６１は、折畳み摺動面３９ｄを摺動してから、折畳みロック部凹部３８ｅに嵌合し、支持体４は折畳みポジション（ｖ）で係合固定される。
【００７２】
このように、押圧釦７０を押して直ぐに離す簡単な操作で、支持体４をそれぞれのポジションで係合固定させることができる。また、支持体４を保持柄２側に折り畳んで安定させる場合も、押圧釦７０を一度押し、その後に支持体４を折畳み位置まで回動させるだけで、折畳みポジション（ｖ）を設定でき、また支持体４を折畳みポジション（ｖ）で確実に係合固定できるようになる。
【００７３】
なお、押圧釦７０の操作方向は、保持柄２の軸中心線Ｏｓと直交する向きであるため、その押圧操作はきわめて簡単であり、例えば右手で保持柄２を保持しながらその親指で押圧釦７０を押圧することができ、押圧釦７０を強い力で確実に押圧できるようになる。また図１（Ｃ）に示す折畳みポジション（ｖ）において、押圧釦７０が支持体４と干渉しない位置にあるため、前記折畳みポジション（ｖ）でも、支持体４に邪魔されることなく押圧釦７０を押圧操作できる。
【００７４】
また、図３に示す回動部３１に形成されている各凹部３８ａ，３８ｂ，３８ｃ，３８ｄ，３８ｅの深さ寸法Ｗ４を、係合部４１ａとの係合強度を保てる範囲内においてなるべく小さくしておけば、図５（Ａ）に示す係合固定状態から押圧釦７０を押圧する際に、その押圧ストロークをあまり深くしなくても、係合部６１を凹部内から速やかに抜き出すことができる。よって、親指などで押圧部材７０を押圧した直後に、前記係合固定を速やかに且つ簡単に解除できるようになる。
【００７５】
この実施の形態での清掃物品では、前記支持体４に前記清掃用ワイプス８を取り付けた状態で、支持体４の清掃支持面４ａを図１（Ａ）に示す第１の清掃ポジション（ｉ）または第２の清掃ポジション（ｉｉ）で係合固定することにより、家具の上面などの清掃ができ、第３の清掃ポジション（ｉｉｉ）で係合固定することにより床面などの清掃ができる。また図１（Ｂ）に示すように、清掃支持面４ａを、保持柄２の軸中心線Ｏｓと直角な向きして床面などを清掃することも可能である。しかも、第４の清掃ポジション（ｉｖ）から支持体４を回動させて図１（Ｃ）に示す折畳みポジション（ｖ）とすることもできる。折畳みポジション（ｖ）では、支持体４から清掃用ワイプス８を取り外しておくことにより、清掃用具１をコンパクトな状態として保管することができる。さらに折畳みポジション（ｖ）として、保持柄２を収納保持柄３内に収納して保持柄の長さを短くすることにより、さらにコンパクトにでき、狭いスペースに保管できるようになる。
【００７６】
以上、本発明の実施の形態を図面に基づいて詳細に説明したが、本発明は前記実施の形態に限られるものではなく、発明の要旨を逸脱しない範囲で種々の変更が可能である。
【００７７】
例えば、前記実施の形態では、前記保持柄２の軸中心線Ｏｓと、支持体４の回動中心線Ｏｒとが直交するものとして説明したが、前記両中心線ＯｓとＯｒは、正確に直角に交わる必要はない、またこれとともに、中心線Ｏｓを含む平面と中心線Ｏｒを含む平面とが共通でなくてもよい。
【００７８】
また、前記実施の形態では、第１の凹部３８ａと第２の凹部３８ｂとの間の角度、第１の凹部３８ａと第３の凹部３８ｃとの間の角度、および第３の凹部３８ｃと第４の凹部３８ｄとの間の角度が、それぞれ同じθ１＝４５度であるものについて述べたが、前記各凹部間の角度は必ずしも同じである必要はなく、また前記角度θ１は４５度でなくてもよい。
【００７９】
【発明の効果】
以上のように本発明では、清掃用ワイプスを取り付ける支持体の向きを変える操作を、操作部材を保持柄の軸方向と直交する方向へ押圧することにより行えるため、その操作が簡単であり、ロック部材を確実に動作させることが可能である。また前記支持体の向きを確実に変えた状態で不用意に回動しないように安定させることのできる清掃用保持具およびその清掃用保持具を用いた清掃用物品が得られる。
【図面の簡単な説明】
【図１】（Ａ）（Ｂ）（Ｃ）は本発明の第１の実施の形態の清掃用保持具において支持体の向きが変化した状態を示す全体側面図、
【図２】清掃用保持具の支持体と清掃用ワイプスを示す斜視図、
【図３】前記清掃用保持具の回動連結部とロック機構部を示す分解斜視図、
【図４】図３に示す回動部をＩＶ矢視方向から示した部分側面図、
【図５】（Ａ）（Ｂ）は、図３に示す清掃用保持具をＸ−Ｙ面で切断した断面を動作別に示す断面図、
【図６】清掃用保持具の支持体が第１の清掃ポジションに向けられている状態を示すＹ−Ｚ平面で切断した動作別の断面図、
【図７】清掃用保持具の支持体が第４の清掃ポジションに向けられている状態を示すＹ−Ｚ平面で切断した動作別の断面図、
【図８】清掃用保持具の支持体が折畳みポジションに向けられている状態を示すＹ−Ｚ平面で切断した動作別の断面図、
【符号の説明】
１　清掃用保持具
２　保持柄
２ｂ　機構収納空間
３　収納保持柄
４　支持体
４ａ　清掃支持面
５　回動連結部
６　ロック機構部
３１　回動部
３２　軸孔
３３　支持体
３４　支持空間
３５　支持孔
３８ａ，３８ｂ，３８ｃ，３８ｄ　凹部
３８ｅ　折畳みロック凹部
３９ａ，３９ｂ，３９ｃ　摺動面
３９ｄ　折畳み摺動面
４１　ストッパ
４２　開口部
５０　ガイド部材
５４　摺動空間
６０　ロック部材
６１　係合部
６４　圧縮コイルスプリング（付勢部材）
６６　本体部
７０　押圧釦（操作部材）
【図１】
2004049618.tif 000003
【図２】
2004049618.tif 000004
【図３】
2004049618.tif 000005
【図４】
2004049618.tif 000006
【図５】
2004049618.tif 000007
【図６】
2004049618.tif 000008
【図７】
2004049618.tif 000009
【図８】
2004049618.tif 000010